(57)【要約】      （修正有）【課題】操作が簡単で、かつ係合が穏やかで強固なヒートシンク固定用クリップを備える放熱装置を提供する。【解決手段】放熱装置は、ヒートシンク５０と、二つのヒートシンク固定用クリップと、固定モジユールとを備える。ヒートシンク５０両側に平台部７２が設けられる。固定用クリップがヒートシンク５０両側の平台部７２上に設けられ、クリップは主体１０と操作体４０を備える。主体１０が横板を有し、横板の両端各々に可動係合部材をピポット式に接合する。主体１０は両端部に弾性片を有している。弾性片は係合部材を引き起し、外へ変位し、且つ弾性回復する。主体１０の横板に操作体４０が回動可能に接合されている。操作体４０の基端に屈曲凸部が設けられ、該操作体４０の他端がハンドルとしての部分を形成する。ハンドルとしての部分が水平位置にある時に、操作体４０の屈曲凸部がヒートシンク上を押す。固定モジユールが回路基板に設けられ、ヒートシンクを収容する。【選択図】図３
2005051203.tif 000002
【特許請求の範囲】
【請求項１】
発熱素子を冷却するために該発熱素子上に載置されるヒートシンクと、ヒートシンク固定用クリップと、固定モジユールとを備えた放熱装置において、
前記ヒートシンクは、プレート形基座と該基座の上に設置されて複数の放熱フィンを備え、且つ、該ヒートシンクの二側面には各々に平台部が形成され、
前記クリップは、それぞれ前記ヒートシンクの二つの前記平台部上に設けられ、該クリップは一つの主体と一つの操作体を備えてなり、該主体が一つの横板を有しており、該横板の両端各々に一つの可動係合部材がピポット式に設けられており、
前記主体の両端部には一つの弾性片が存在し、該弾性片は前記係合部材によって外へ変位が引き起こされた際に弾性回復し、
前記操作体は、前記主体の横板にピポット式に設けられており、
前記固定モジユールが回路基板に設けられ、前記ヒートシンクを収容し、前記固定モジユールのコーナには複数の柱体形成され、これら柱体上に前記クリップを係合させるための穴が設けられていることを特徴とする放熱装置。
【請求項２】
前記主体の弾性片が外向きに凸状となるよう下方に湾曲していることを特徴とする請求項１記載の放熱装置。
【請求項３】
前記主体の可動係合部材は、直立板を有し、該直立板の上端が主体の横板の一端上にピポット式に結合され、下端に係合用の勾が形成されていることを特徴とする請求項１記載の放熱装置。
【請求項４】
前記クリップの操作体は略棒状体であり、該操作体の基端には屈曲凸部が設けられ、他端がハンドル部分として形成されているることを特徴とする請求項１記載の放熱装置。
【請求項５】
二つのクリップの操作体のハンドル部分同士が相互に一体に接合されてなることを特徴とする請求項４記載の放熱装置。
【請求項６】
前記ヒートシンクの二つの平台部上に複数の係合用の開口が設けられることを特徴とする請求項１記載の放熱装置。
【請求項７】
前記開口は互いに連通した大小の貫通穴から形成されていることを特徴とする請求項６記載の放熱装置。
【請求項８】
前記クリップの主体の下部に弾性押圧部が更に形成され、該押圧部の下方に、前記ヒートシンクの平台部上の複数の開口と係合する柱体が更に設けられていることを特徴とする請求項７記載の放熱装置。
【請求項９】
発熱素子を冷却するために該発熱素子上に載置されるヒートシンクを押圧固定するためのヒートシンク固定用クリップにおいて、
一つの主体と一つの操作体を備え、前記主体が一つの横板を有し、該横板の両端各々に一つの可動係合部材がピポット式に結合され、該主体の両端には前記可動係合部材に外側に接触する弾性片が形成され、該弾性片は前記可動係合部材が外方に変位した際に変位し、且つ弾性回復し、
操作体が、前記主体の横板に回動可能に設けられており、該操作体の一端に屈曲凸部設けられ、かつ他端がハンドルとしての部分を形成しており、該ハンドル部分が直立状態と水平状態の間で回動し、該ハンドル部分が水平状態のときに、前記屈曲凸部は前記ヒートシンクを押圧固定することを特徴とするヒートシンク固定用クリップ。
【請求項１０】
前記主体の弾性片が外向きに凸となるよう湾曲していることを特徴とする請求項９記載のヒートシンク固定用クリップ。
【請求項１１】
前記主体の可動係合部材は、直立板を有し、該直立板の上端が主体の横板の一端にピポット式に結合され、下端には係合用の勾が形成されたことを特徴とする請求項９記載のヒートシンク固定用クリップ。
【請求項１２】
前記クリップの操作体は棒状体のものであり、該操作体の基端に屈曲凸部が設けられ、他端がハンドル部分として形成されていることを特徴とする請求項９記載のヒートシンク固定用クリップ。
【請求項１３】
前記クリップは、主体下部に弾性押圧部が更に形成され、該押圧部の下方に前記ヒートシンクの平台部に形成された複数の開口と係合するための複数の柱体が更に設けられていることを特徴とする請求項９記載のヒートシンク固定用クリップ。
【発明の詳細な説明】
【技術分野】
【０００１】
本発明は発熱素子を冷却するための放熱装置に関し、特に、操作が簡単で係合操作が穏やかでありかつ強固な係合状態を得ることのできるヒートシンク固定用クリップを備えた放熱装置に関するものである。
【背景技術】
【０００２】
電子素子（特に中央処理装置）の集成電路がますます密集で複雑になるにつれて、発生する熱量もますます増えることになる。そこで、業界において使われるヒートシンクの体積と重量もますます大きくなってきている。ヒートシンクを固定する固定装置の係合力と係合強さなどの性能の要求も対応して高め、そこで、ヒートシンクを電子素子によりよく係合させるのは解決しなければならない切実な課題である。
【０００３】
特許文献１には典型的なヒートシンク固定用クリップが開示されている。図５を参照すれば、前記クリップは、一つの四辺形主体１００及び主体１００両端に接合するための二つの接合片２００を含んでいる。主体１００中段部には押圧部１１０が湾曲形成されており、主体１００両端部には前記接合片２００と接合するための接合孔１２０が設けられている。該接合片２００の前記主体１００の接合孔１２０と対応する位置には締合片２２０が形成され、且つ、該接合片２００の両端部近傍側辺には固定モジユールと係合するための係合鈎２３０が湾曲形成されている。該クリップは、前記主体１００の押圧部１１０が下向きに湾曲形成され、且つ、この両端に各々前記接合片２００を締合し、該押圧部１１０をヒートシンク上に載置する。そして、該接合片２００を手で直接下方に押圧すると、該主体１００の両端が弾性変形して前記接合片２００の係合鈎２３０を固定モジユールに係合できた。しかし、前記接合片２００を手で押圧するときに、該主体１００の両端の弾性回復力を克服することが必要であり、拘束力は大きいが操作のときに不便である。更に、操作時に手が外れる等のおそれがあり、周囲の電子チップを損傷する可能性がある。
【０００４】
従って、操作が簡単で、係合操作が穏やかでありかつ強固な係合状態を得ることのできるヒートシンク固定用クリップを備えた放熱装置提供することが本発明の解決しようとする課題である。
【特許文献１】台湾実用新案登録公報第５３２７２２号
【発明の開示】
【発明が解決しようとする課題】
【０００５】
本発明は、操作が簡単で、穏やかな係合操作と強固な係合状態を得ることのできるヒートシンク固定用クリップを備えた放熱装置提供することを目的とする。
【課題を解決するための手段】
【０００６】
本発明の放熱装置は、ヒートシンクと二つのヒートシンク固定用クリップ及び固定モジユールを備える。前記ヒートシンクはプレート形基座を有し、前記基座の上に複数の放熱フィンが設けられ、且つ、前記ヒートシンク両側面には平台部が設けられる。二つの前記固定用クリップがそれぞれ前記ヒートシンク両側の平台部上に設けられる。前記クリップは一つの主体と一つの操作体を備える。前記主体は一つの横板を有し、前記横板の両端各々に一つの可動係合部材をピポット式に接合する。前記主体の係合部材外側に一つの弾性片が有る。弾性片は係合部材を引き起し外へ変位し、且つ弾性回復する。前記操作体が前記主体の横板に回動可能に設けられている。操作体の基端には屈曲凸部が設けられ、該操作体の他端はハンドルとしての部分を形成する。このハンドルとしての部分が回動して水平位置にある時に、該操作体の屈曲凸部がヒートシンク上を押す。前記固定モジユールが回路基板に設けられ、前記ヒートシンクを収容する。前記固定モジユールのコーナに複数の柱体が形成され、これら柱体上に前記クリップと係合用の穴が設けられる。
【発明の効果】
【０００７】
本発明の放熱装置は以下の利点を少なくとも含む。本発明の放熱装置のヒートシンク固定用クリップでは、操作体の回転力が押圧力に変形されるため、操作の時に必要な力が極めて小さく、操作が簡単で、力を節約する。また、従来（図５）の如く接合片２００を押圧することによる放熱装置の固定は、ヒートシンク上にそれと等しい力を付与することになるが、本発明による場合には放熱装置の係合が非常に穏やかにして堅固である。
【発明を実施するための最良の形態】
【０００８】
以下に、本発明に係る放熱装置の具体例の構成を図面を参照しながら詳細に説明する。図１〜図３を参照し、本発明による放熱装置の第１実施例を示す。本発明の放熱装置はヒートシンク５０と、二つのヒートシンク固定用クリップと、固定モジユール６０とを備えている。
【０００９】
前記固定モジユール６０は略矩形トレイ状に形成されたものであり、回路基板上に設けられ、前記ヒートシンク５０を収容する。該固定モジユール６０のコーナには、複数の柱体６２が形成され、該柱体６２には、前記クリップと係合するための係合穴６４が設けられている。
【００１０】
前記ヒートシンク５０は、発熱素子の上に搭載されるプレート形基座５２を有し、前記基座５２の上に複数の放熱フィン５４が設けられ、且つ、これら複数の放熱フィン５４上を承載部７０が覆っている。該承載部７０の両側にはそれぞれ側壁が形成され、該二つの側壁の外側に平台部７２が設けられている。また、前記平台部７２の中央部外側には掛止片７４が設けられる。
【００１１】
二つの前記ヒートシンク固定用クリップはそれぞれヒートシンク５０両側の前記平台部７２上に横架される。前記クリップは一つの主体１０と一つの操作体４０とを備える。前記主体１０は、一つの横板１２を有し、該横板１２の両端は一定の角度で下向きに湾曲している。該横板１２上には長手方向に取付け溝１４が設けられており、該取付け溝１４の中央部は前記横板１２の上下面と連通されているる。また、該取付け溝１４の中央部には、横板を厚さ方向に貫通する第１枢孔１６が形成されている。また、前記横板１２の両端の外縁には各々、内側に湾曲しながら下方に延びた弾性片２０が形成されている。この弾性片２０の内側には下向きの突出部が形成されており、該突出部には、横板１２を厚さ方向に貫通する第２枢孔１８が形成されている。これら第２枢孔１８の各々に可動係合部材２２が回動可能に取り付けられている。該可動係合部材２２の外側面は前記弾性片２０の下端と密切に接触する。従って、可動係合部材２２が外へ回動した時に弾性片２０の内向きの弾性力によって弾性回復する。前記可動係合部材２２は一つ直立板２４を有し、該直立板２４の上端両側に、前記主体１０の前記第２枢孔１８に係合される枢軸２６がそれぞれ形成されている。該直立板２４の下端内側には、係合鈎２８が内側に突出して形成されており、該係合鈎２８の下面は、前記固定モジユール６０との係合時に案内作用を得るための斜面に形成されている。前記可動係合部材２２の上端外側には、外方を向いた把手部３０が形成されている。
【００１２】
前記操作体４０は、略杆状に形成され、前記主体１０の横板１２上に回動可能に接合されている。操作体４０の基端には屈曲凸部４２設けられ、該屈曲凸部４２が一つ杆状の取っ手部４４と一体とされている。該屈曲凸部４２の両側面には、厚さ方向に、前記主体１０の第１枢孔１６と係合するための枢軸４６がそれぞれ突出形成されている。前記主体１０の中央部は上下に貫通しており、前記操作体４０の屈曲凸部４２は、貫通した主体１０の該中央部に第１枢孔１６を中心として水平状態と直立状態との間で回動される。この取っ手部４４が水平位置にある時に、該操作体４０の前記屈曲凸部４２の最低点から枢軸４６までの距離が最大となり、また前記取っ手部４４が回動して直立位置とされた時には、前記距離が最小となる。
【００１３】
発熱素子にヒートシンク５０を取り付ける時には、先ず、ヒートシンク５０を固定モジユール６０の上に載置し、該ヒートシンク５０の両側の前記平台部７２上に前記クリップを各々取り付ける。前記操作体４０が直立状態にある時に、前記クリップに下向きの力を付与すると、前記可動係止部材２２が固定モジユール６０の複数の柱体６２と弾性接触し、且つ該可動係止部材２２の係合鈎２８が固定モジユール６０の前記係合穴６４と係合する。その後、直立状態の前記操作体を水平状態ヘ回動させれば、操作体４０の屈曲凸部４２はヒートシンク５０の平台部７２を押圧して、これにより、ヒートシンク５０は回路基板に確実に固定される。
【００１４】
また、図４に示すように、前記ヒートシンク５０の両側の二つのクリップの操作体４０の取っ手部４４同士の両端を一つの板状の連杆体によって接合して一体とすることもできる。
【００１５】
図４を参照し、本発明による放熱装置の第２実施例を示す。前記第１実施例を基礎として、前記承載部７０の平台部７２の上面に、互いに連通した大小の貫通穴７６、７８を備えている。前記第１実施例のクリップを基礎として、横板１２の下部に弾性押圧部３２を形成し、該弾性押圧部３２の下面に複数の係合突起部３４を形成した。該係合突起部３４は大きいな頭部を有する。従って、前記クリップと前記ヒートシンク５０とは、前記弾性押圧部３２の係合突起部３４と前記貫通穴７６、７８の協働によって、連接して一体に形成される。このため、取り付ける時や、運輸時に極めて有利である。
【００１６】
なお、前記実施例は単なる本発明のより良い実施例にすぎず、本発明の請求範囲を限定するものではなく、本発明に係る当業者が、本発明に基づきなしうる細部の変更或は修飾など、いずれも本発明の請求範囲に属するものである。
【図面の簡単な説明】
【００１７】
【図１】本発明に係る第１の実施の形態で放熱装置のクリップの分解斜視図である。
【図２】本発明に係る第１の実施の形態で放熱装置の分解斜視図である。
【図３】本発明に係る第１の実施の形態で放熱装置の組立斜視図である。
【図４】本発明に係る第２の実施の形態で放熱装置の分解斜視図である。
【図５】従来のヒートシンク固定用クリップの分解斜視図である。
【符号の説明】
【００１８】
１０  主体
１２  横板
１４  取付け溝
１６  第１枢孔
１８  第２枢孔
２０  弾性片
２２  可動係合部材
２４  直立板
２６、４６  枢軸
２８  係合鈎
３０  把手部
３２  弾性押圧部
３４  係合突起部
４０  操作体
４２  屈曲凸部
４４  取っ手部
５０  ヒートシンク
５２  基座
５４  放熱フィン
７０  承載部
７２  平台部
７４  係止片
７６、７８  貫通穴
６０  固定モジユール
６２  柱体
６４  係合穴
【図１】
2005051203.tif 000003
【図２】
2005051203.tif 000004
【図３】
2005051203.tif 000005
【図４】
2005051203.tif 000006
【図５】
2005051203.tif 000007